(57)【要約】【課題】本発明は、同一周波数でフレームを送信する複数の基地局と、少なくとも１つの移動端末とを備えるワイヤレスネットワーク内で送信する方法に関する。【解決手段】フレームヘッダのサイズを最適化するために、この方法は、少なくとも２つの基地局を備える第１の集合により、少なくとも第１の時間インターバルを備える同一の第１の物理チャネルで、フレームヘッダの少なくとも第１の部分（５０１１）を送信するステップと、少なくとも１つの基地局を備える少なくとも第２の集合により、第１の時間インターバルと異なる少なくとも１つの第２の時間インターバルを備える第２の物理チャネルで、フレームヘッダの少なくとも１つの第２の部分（５０１２、５０２２、５０３２、５０４２）を送信するステップとを備え、少なくとも１つの第２の集合は第１の集合とは異なるが、第１の集合に含まれる。本発明は、これに対応する受信方法にも関する。【選択図】図５ａ
2010252320.tif 000002
【特許請求の範囲】
【請求項１】
ワイヤレスネットワーク内で送信する方法であって、前記ネットワークは、複数の基地局（１０１、１０２、１０３、１０４）と少なくとも１つの移動端末（１００１、１００２、１００３、１００４）とを備え、前記ネットワークの前記複数の基地局は、同一周波数でフレームを送信する方法において、
少なくとも２つの基地局（１０１、１０２、１０３、１０４）を備える第１の集合により、少なくとも第１の時間インターバルを備える同一の第１の物理チャネルで、フレームヘッダの少なくとも第１の部分（４００）を送信する（６１）ステップと、
少なくとも１つの基地局（１０１、１０２）を備える少なくとも第２の集合により、少なくとも第２の時間インターバルを備える少なくとも第２の物理チャネルで、前記フレームヘッダの少なくとも第２の部分（４０１、４３１）を送信する（６２）ステップと
を備え、
前記少なくとも１つの第２の時間インターバルは、前記少なくとも１つの時間インターバルと異なり、
前記少なくとも１つの第２の集合は、前記第１の集合と異なり、前記少なくとも１つの第２の集合は前記第１の集合に含まれる
ことを特徴とする方法。
【請求項２】
前記フレームヘッダの前記少なくとも１つの第２の部分（４０１、４３１）は、少なくとも１つの第１の移動端末（１００１）への少なくとも１つのフレームインターバル（４１０、４２０）の割り振りを表す少なくとも１つの第１の情報要素（４０２１、４０３１）を備えることを特徴とする請求項１に記載の方法。
【請求項３】
前記ヘッダの前記少なくとも１つの第１の部分（４００）は、フレーム構造を表す情報を備え、前記少なくとも１つの第１の情報要素は、前記構造を表す前記情報の少なくとも一部を参照することを特徴とする請求項２に記載の方法。
【請求項４】
前記フレームヘッダの前記少なくとも１つの第２の部分（４０１、４３１）は、フレーム構造を表す情報を備えることを特徴とする請求項１または２のいずれか一項に記載の方法。
【請求項５】
前記フレームヘッダの前記少なくとも１つの第１の部分（４００）は、前記ヘッダの前記少なくとも１つの第２の部分（４０１、４３１）を表す情報を備えることを特徴とする請求項１または２のいずれか一項に記載の方法。
【請求項６】
前記ヘッダの前記少なくとも１つの第１の部分を送信する前記ステップは、少なくとも第１のパイロットを送信する（７２）ステップを備え、前記ヘッダの前記少なくとも１つの第２の部分を送信する前記ステップは、少なくとも第２のパイロットを送信する（７４）ステップを備えることを特徴とする請求項１から５の一項に記載の方法。
【請求項７】
少なくとも１つの第１の情報要素ごとに第２のパイロット（５２２、５２６）が送信されることを特徴とする請求項２および６に記載の方法。
【請求項８】
少なくとも１つの移動端末に前記少なくとも１つの第２の集合を割り当てる（７１）ステップを備えることを特徴とする請求項２から７のいずれか一項に記載の方法。
【請求項９】
少なくとも２つの基地局（１０２、１０３）を備える少なくとも第３の集合により、前記ヘッダの前記少なくとも１つの第２の部分を送信するステップを備え、
前記ヘッダの前記少なくとも１つの第２の部分は、少なくとも第２の移動端末（１００２）への少なくとも１つのフレームインターバル（４４１）の割り振りを表す少なくとも第２の情報要素（４３２２）を備え、
前記第２の集合と第３の集合は、少なくとも１つの共通の基地局（１０２）を備え、前記第２の集合と前記第３の集合は異なり、前記少なくとも１つの第３の集合は、前記第１と異なり、かつ前記第１の集合に含まれる
ことを特徴とする請求項２から８のいずれか一項に記載の方法。
【請求項１０】
ワイヤレスネットワーク内で受信する方法であって、前記ネットワークは、複数の基地局（１０１、１０２、１０３、１０４）と少なくとも１つの移動端末（１００１、１００２、１００３、１００４）とを備え、前記複数の基地局は同一周波数でフレームを送信する方法において、前記少なくとも１つの移動端末によって実施される、
前記フレームヘッダの、少なくとも１つの受信された第１の部分を復号する（８１）ステップであって、前記少なくとも１つの第１のヘッダ部分は、少なくとも２つの基地局を備える第１の集合により、少なくとも第１の時間インターバルを備える同一の第１の物理チャネルで送信される、ステップと、
前記フレームヘッダの、少なくとも１つの受信された第２の部分の少なくとも一部を復号する（８２）ステップであって、前記ヘッダの前記少なくとも１つの第２の部分は、少なくとも１つの基地局を備える少なくとも１つの第２の集合により、少なくとも１つの第２の時間インターバルを備える少なくとも１つの第２の物理チャネルで送信される、ステップと
を備え、
前記少なくとも１つの第２の時間インターバルは、前記少なくとも１つの第１の時間インターバルと異なり、
前記少なくとも１つの第２の集合は前記第１の集合と異なり、前記少なくとも１つの第２の集合は前記第１の集合に含まれることを特徴とする方法。
【請求項１１】
前記ヘッダの前記少なくとも１つの第２の部分は、前記少なくとも１つの移動端末への少なくとも１つのフレームインターバルの割り振りを表す少なくとも１つの情報要素を備えることを特徴とする請求項１０に記載の方法。
【請求項１２】
前記ヘッダの前記少なくとも１つの第１の部分に関連付けられた少なくとも１つの第１のパイロットに基づく、少なくとも１回の第１の物理チャネル推定（９１）と、前記少なくとも１つの第２のヘッダ部分に関連付けられた少なくとも１つの第２のパイロットに基づく、少なくとも１回の第２の物理チャネル推定（９２）とを備えることを特徴とする請求項１０または１１の一項に記載の方法。
【発明の詳細な説明】
【技術分野】
【０００１】
本発明は、電気通信の分野に関し、より具体的には、同一の周波数で同期してフレームを送信するいくつかの基地局を備えるシステムにおけるワイヤレスのデータ送受信に関する。
【背景技術】
【０００２】
従来技術によると、例えば３ＧＰＰ（３rd  Ｇｅｎｅｒａｔｉｏｎ  Ｐａｒｔｎｅｒｓｈｉｐ  Ｐｒｏｊｅｃｔ）プロジェクトのＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）、ＷｉＭＡＸ（ＩＥＥＥ８０２．１６標準に基づく）、またはＬＴＥ（Ｌｏｎｇ  Ｔｅｒｍ  Ｅｖｏｌｕｔｉｏｎ）タイプのモバイルネットワークは、各々が１つの基地局を含んでいる複数のセルを有し、セルは、基地局の伝送の対象となる地域によって定義される。そのようなネットワーク内で移動端末が移動するときに、移動端末のレベルにおけるサービスを中断することなく移動端末が１つのセルから別のセルに移ることが必要な場合があり、伝送周波数はセルごとに異なる。そのような継続性を保証することを可能にする仕組みは、一般に「ハンドオーバー」と呼ばれる。
【０００３】
ＳＦＮ（単一周波数ネットワーク）と呼ばれる従来技術で周知の技術では、いくつかの基地局が同期して１つのＯＦＤＭ（直交周波数分割多重化）信号を送信する。そのようにして、移動端末はいくつかの送信装置（transmitter）からの信号の組み合わせを受信すると共に、シンボル間干渉を打ち消すためのＯＦＤＭ特有の特性を使用して、そのようにして取得した信号の組み合わせを復号する。ＳＦＮネットワークの基地局で使用される伝送周波数は同一であるため、そのようなＳＦＮネットワーク内で移動する移動端末に「ハンドオーバー」機構を実施する必要はなくなる。そのような解決法が、Ｔｈｏｍｓｏｎ  Ｌｉｃｅｎｓｉｎｇ  ＳＡの名義で２００８年１１月２１日に出願された特許文献１に記載される。
【０００４】
標準的なセルシステム、すなわちＳＦＮでない場合は、基地局の伝送到達範囲によって定義されるセル内に存在するすべての移動端末に、基地局から通信フレームヘッダが同報通信(broadcast)される。フレームヘッダは、特に、フレームの構造、すなわち例えば対象セルに存在する異なる移動端末へのフレームを構成するインターバルの割り振りを表す情報を備える。各移動端末は、フレームヘッダに含まれる情報から、どのインターバルが自身に割り当てられたのか、すなわち、フレームのどのインターバル中に対象セルの基地局と通信するのかを知る。ＳＦＮネットワークの場合は、ＳＦＮネットワークの全基地局が同期して同一周波数で通信フレームを送信するので、標準的なセルシステムで定義されるところのセルの概念がもはや存在しない。そのようなＳＦＮネットワークの通信フレームのヘッダは、ＳＦＮネットワークの基地局によって同報通信され、フレームの構造、すなわちネットワーク内に存在するすべての移動端末へのフレームのインターバルの割り振りを表す情報を備え、数個の移動端末が互いから十分に遠く、同じ基地局と通信しないときに、すなわち、それら移動端末各々が、各移動端末にとって特定の１つ（または数個）の基地局と通信する場合に、数個の移動端末で１つのインターバルが使用されることができる。ネットワーク内に存在する移動端末の数が多いほど、フレーム構造を表す情報の量が多くなり、ヘッダのサイズが大きくなる。そのようなヘッダに伴う問題は、ヘッダが通信フレームの大きな割合を占め、有用なデータ（すなわち「ペイロード」）を通信するための空間をほとんど残さないことである。
【先行技術文献】
【特許文献】
【０００５】
【特許文献１】仏国特許出願公開第０８０６５４５号明細書
【発明の概要】
【０００６】
本発明の目的は、上記のような従来技術の不利点の少なくとも１つを克服することである。
【０００７】
より具体的には、本発明の目的は、特に、同一の周波数で同期してフレームを送信するいくつかの基地局を備えるネットワーク内で、通信フレームのヘッダのサイズを最適化することである。
【０００８】
本発明は、ワイヤレスネットワーク内における送信の方法に関し、ネットワークは、複数の基地局と少なくとも１つの移動端末を備え、複数の基地局は同一周波数でフレームを送信する。フレームヘッダのサイズを最適化するために、この方法は、少なくとも２つの基地局を備える第１の集合（set,セット）により、少なくとも第１の時間インターバルを備える同一の第１の物理チャネルで、フレームヘッダの少なくとも第１の部分を送信するステップと、少なくとも１つの基地局を備える少なくとも第２の集合により、少なくとも第２の時間インターバルを備える少なくとも第２の物理チャネルで、フレームヘッダの少なくとも第２の部分を送信するステップとを備え、少なくとも１つの第２の時間インターバルは、少なくとも１つの時間インターバルと異なり、少なくとも１つの第２の集合は、第１の集合と異なり、少なくとも１つの第２の集合は第１の集合に含まれる。
【０００９】
特定の特徴によると、フレームヘッダの少なくとも１つの第２の部分は、少なくとも１つの第１の移動端末への少なくとも１つのフレームインターバルの割り振りを表す少なくとも１つの第１の情報要素を備える。
【００１０】
有利には、ヘッダの少なくとも１つの第１の部分は、フレーム構造を表す情報を備え、少なくとも１つの第１の情報要素は、構造を表す情報の少なくとも一部を参照する。
【００１１】
別の特徴によると、フレームヘッダの少なくとも１つの第２の部分は、フレーム構造を表す情報を備える。
【００１２】
有利には、フレームヘッダの少なくとも１つの第１の部分は、ヘッダの少なくとも１つの第２の部分の構造を表す情報を備える。
【００１３】
特定の特徴によると、ヘッダの少なくとも１つの第１の部分を送信するステップは、少なくとも第１のパイロット(pilot)を送信するステップを備え、ヘッダの少なくとも１つの第２の部分を送信するステップは、少なくとも第２のパイロットを送信するステップを備える。
【００１４】
別の特徴によると、少なくとも１つの第１の情報要素ごとに第２のパイロットが送信される。
【００１５】
有利には、この方法は、少なくとも１つの移動端末に少なくとも１つの第２の集合を割り当てるステップを備える。
【００１６】
特定の特徴によると、この方法は、少なくとも２つの基地局を備える少なくとも第３の集合により、ヘッダの少なくとも１つの第２の部分を送信するステップを備え、フレームヘッダの少なくとも１つの第２の部分は、少なくとも第２の移動端末への少なくとも１つのフレームインターバルの割り振りを表す少なくとも第２の情報要素を備え、第２の集合と第３の集合は、少なくとも１つの共通の基地局を備え、第２の集合と第３の集合は異なり、少なくとも１つの第３の集合は、第１と異なり、かつ第１の集合に含まれる。
【００１７】
本発明は、ワイヤレスネットワークの受信の方法にも関し、ネットワークは、複数の基地局と少なくとも１つの移動端末とを備え、複数の基地局は単一周波数でフレームを送信し、この方法は、少なくとも１つの移動端末によって実施される、フレームヘッダの、少なくとも１つの受信された第１の部分を復号するステップであって、少なくとも１つの第１のヘッダ部分は、少なくとも２つの基地局を備える第１の集合により、少なくとも第１の時間インターバルを備える同一の第１の物理チャネルで送信される、ステップと、フレームヘッダの、少なくとも１つの受信された第２の部分の少なくとも一部を復号するステップであって、ヘッダの少なくとも１つの第２の部分は、少なくとも１つの基地局を備える少なくとも１つの第２の集合により、少なくとも第２の時間インターバルを備える少なくとも１つの第２の物理チャネルで送信される、ステップとを備え、少なくとも１つの第２の時間インターバルは、少なくとも１つの第１の時間インターバルと異なり、少なくとも１つの第２の集合は第１の集合と異なり、少なくとも１つの第２の集合は第１の集合に含まれる。
【００１８】
特定の特徴によると、ヘッダの少なくとも１つの第２の部分は、少なくとも１つの第１の移動端末への少なくとも１つのフレームインターバルの割り振りを表す少なくとも１つの情報要素を備える。
【００１９】
有利には、この受信の方法は、ヘッダの少なくとも第１の部分に関連付けられた少なくとも第１のパイロットに基づく、少なくとも１回の第１の物理チャネル推定と、少なくとも１つの第２のヘッダ部分に関連付けられた少なくとも第２のパイロットに基づく、少なくとも１回の第２の物理チャネル推定とを備える。
【図面の簡単な説明】
【００２０】
以下の説明を読むことにより、本発明がより理解され、その他の具体的な特徴および利点が明らかになろう。以下の説明は添付図面を参照する。
【図１】本発明の特定の実施形態による、いくつかの基地局といくつかの移動端末を実施するワイヤレスネットワークの図である。
【図２】本発明の特定の実施形態による図１のシステムの基地局を模式的に示す図である。
【図３】本発明の特定の実施形態による図１のシステムの移動端末を模式的に示す図である。
【図４ａ】本発明の特定の実施形態による、システム１の各基地局のレベルにおける通信フレームの構造を模式的に示す図である。
【図４ｂ】本発明の特定の実施形態による、システム１の各基地局のレベルにおける通信フレームの構造を模式的に示す図である。
【図４ｃ】本発明の特定の実施形態による、システム１の各基地局のレベルにおける通信フレームの構造を模式的に示す図である。
【図４ｄ】本発明の特定の実施形態による、システム１の各基地局のレベルにおける通信フレームの構造を模式的に示す図である。
【図５ａ】本発明の特定の実施形態による、システム１の各基地局のレベルにおける通信フレームヘッダの構造を模式的に示す図である。
【図５ｂ】本発明の特定の実施形態による、システム１の各基地局のレベルにおける通信フレームヘッダの構造を模式的に示す図である。
【図５ｃ】本発明の特定の実施形態による、システム１の各基地局のレベルにおける通信フレームヘッダの構造を模式的に示す図である。
【図５ｄ】本発明の特定の実施形態による、システム１の各基地局のレベルにおける通信フレームヘッダの構造を模式的に示す図である。
【図６】本発明の特定の実施形態による、図１のシステムの１つまたは複数の基地局によって実施される送信方法を示す図である。
【図７】本発明の特定の実施形態による、図１のシステムの１つまたは複数の基地局によって実施される送信方法を示す図である。
【図８】本発明の特定の実施形態による、図１のシステムの移動端末によって実施される受信方法を示す図である。
【図９】本発明の特定の実施形態による、図１のシステムの移動端末によって実施される受信方法を示す図である。
【発明を実施するための形態】
【００２１】
図１は、本発明の特定の実施形態による、第１の基地局の集合を形成するいくつかの基地局１０１、１０２、１０３、１０４と、いくつかの移動端末１００１、１００２、１００３、１００４とを実施するワイヤレス通信システム１を示す。基地局１０１から１０４は単一の周波数で伝送する。すなわち、基地局は単一の周波数（すなわち、ここで対象とするＯＦＤＭシステムに関して無視できる周波数差、典型的にはＤＶＢ−Ｔ（Ｄｉｇｉｔａｌ  Ｖｉｄｅｏ  Ｂｒｏａｄｃａｓｔｉｎｇ  −  Ｔｅｒｒｅｓｔｒｉａｌ）型のシステムでは通例は１Ｈｚ未満の周波数差）で動作する。ネットワークの基地局の集合が単一の周波数で伝送すると、移動端末のレベルで「ハンドオーバー」機構を用いずに済む。基地局１０１から１０４および移動端末１００１から１００４は各々、単一の送信アンテナを有する。基地局１０１および１０２は、移動端末１００１と通信し、第１の集合に含まれる第２の基地局の集合を形成する。基地局１０２および１０３は、移動端末１００２と通信し、第１の集合に含まれる、第３の基地局の集合を形成する。基地局１０２は、第２の集合と第３の集合に属し、したがって移動端末１００１および移動端末１００２の両方と通信する。基地局１０１は第２の集合に属し、第３の集合には属さず、基地局１０３は第３の集合に属し、第２の集合には属さない。基地局１０４は第１の集合に属し、第２の集合と第３の集合には属さない。基地局１０３は、移動端末１００３とも通信する。基地局１０４は、移動端末１００４と通信する。移動端末１００１から１００４は、基地局１０１から１０４によって送信される信号を受信および復号することができ、基地局１０１から１０４は、移動端末１００１から１００４によって送信される信号を受信および復号することができる。点線の円で定義されたゾーン１１、１２、１３、１４は、基地局１０１から１０４各々の干渉ゾーンを表している。これら各ゾーン１１から１４の内部では干渉レベルは所与の閾値よりも小さく、ゾーン１１から１４の外側では干渉レベルは所与の閾値よりも大きい。
【００２２】
有利には、システム１の移動端末１００１、１００２、１００３、１００４は、携帯型機器であり、例えば、同報通信サービス（例えば音声またはオーディオデータの再生および／または映像データの表示、またはより一般的にはマルチメディアデータの再生、記憶、または処理）を受信し、処理するように適合された携帯電話または携帯端末である。
【００２３】
有利には、システム１の基地局１０１から１０４は、固定型機器である。基地局は、広い到達範囲にデータを同報通信するように適合された高出力送信機、または、より制限された到達範囲にデータを同報通信するように適合された平均または低出力送信機である。変形形態によると、基地局１０１から１０４の少なくとも１つは、「ピコセル（ｐｉｃｏｃｅｌｌ）」、すなわち建物の内部、スーパーマーケット、駅等の狭いエリアを対象とする、すなわち数十メートルの範囲（いくつかの実施形態によるとピコセルでは範囲は有利には３００ｍ以下）を有するシステムを形成する。別の変形形態によると、基地局の少なくとも１つは、「フェムトセル（ｆｅｍｔｏｃｅｌｌ）」、すなわち住居や建物の数個の部屋、建物の１フロア、飛行機等、ピコセルよりも小さなサイズに制約されたエリアをカバーするように設計された、すなわち数メートルの範囲（いくつかの実施形態によると、フェムトセルにおける範囲は有利には１００メートル以下）を有するシステムを形成する。
【００２４】
変形形態によると、基地局１０１から１０４は、ＳＩＳＯ（単入力単出力）型であり、１つのみのアンテナを有する。基地局は、同期化されたネットワークを形成して、所与の移動端末に同じ内容を同じ周波数で送信する。すなわち、基地局は、単一の周波数で（すなわちここで検討するＯＦＤＭシステムに関して無視できる周波数ずれ（通例、ＤＶＢ−Ｔ型のシステムでは１Ｈｚ未満）で）、同期して（すなわち無視できる時間ずれ（例えば１マイクロ秒未満）で、かつ別の基地局から送信された別の信号に関して基地局から送信される信号を時間的にずらすことなく）動作し、伝送周波数は、例えば、外部要素（例えばＧＰＳ（全地球測位システム）衛星や、地上の基準時間または周波数の放送局）によって提供される基準周波数を受信することにより、異なる基地局で同期される。
【００２５】
別の変形形態によると、基地局１０１から１０４はＭＩＭＯ型であり、各々がＭＩＭＯコーダと、ＭＩＭＯ信号を送信する数個のアンテナとを有する。この変形形態でも、基地局は、同期化されたネットワークを形成して、所与の移動端末を対象とする同じ内容を同じ周波数で送信する。
【００２６】
有利には、システム１の基地局の一部はＳＩＳＯ型で、一部はＭＩＭＯ型である。この変形形態でも、基地局は、同期化されたネットワークを形成して、所与の移動端末を対象とする同じ内容を同じ周波数で送信する。
【００２７】
別の実施形態によると、システム１の第１、第２、および／または第３の基地局の集合の基地局は、基地局が偏りなく１つまたは複数のアンテナを所有する協調(cooperative）ＭＩＭＯシステムを形成する。そのような協調ＭＩＭＯシステムは、数個の基地局に分散されたアンテナを使用し、すなわち、送信信号は、同じ部分集合（sub-set,サブセット）中の数個の基地局に属する可能性のある数個のアンテナに空間的に分散される。すべての空間ストリームを有する完全な信号は、空中で組み合わせられて、対象の部分集合の基地局が割り当てられている移動端末で受信される。そのような協調ＭＩＭＯシステムの基地局も、同期化ネットワークを形成して、対象移動端末を対象とする同じ内容を同じ周波数で送信する。
【００２８】
別の変形形態によると、システム１の一部の基地局は、協調または非協調型のＭＩＭＯ型であり、残りはＳＩＳＯ型である。
【００２９】
有利には、移動端末１００１から１００４の少なくとも１つはＭＩＭＯ型であり、数個のアンテナを有する。
【００３０】
変形形態によると、エリア１１から１４は、基地局１０１から１０４のそれぞれの到達範囲（coverage areas，カバーする範囲）を定義する。
【００３１】
図２は、例えば図１の基地局１０１から１０４に対応する基地局２のハードウェア実施形態を模式的に示す。
【００３２】
基地局２は、以下の要素を備え、要素間は、クロック信号も移送するアドレスおよびデータのバス２４で接続される。
−  マイクロプロセッサ２１（すなわちＣＰＵ（中央演算処理装置））
−  ＲＯＭ（読み取り専用メモリ）型の不揮発性メモリ２２
−  ランダムアクセスメモリすなわちＲＡＭ２３
−  無線インタフェース２６
−  データの送信（例えばサービスの同報通信や、マルチポイントツーポイントまたはポイントツーポイント送信）と、特にコーダおよび／またはＯＦＤＭ変調器の機能について適合されたインタフェース２７、
−  同期信号を受信し、インタフェース２７を同期するように適合されたインタフェース２８、および／または
−  ユーザに情報を表示する、および／またはデータやパラメータ（例えばサブキャリアや送信データのパラメータの設定）を入力するのに適した特定のアプリケーションのＭＭＩ（マンマシンインタフェース）インタフェース２９。
【００３３】
メモリ２２および２３の説明で使用される単語「レジスタ」は、上記のメモリ各々において、小容量のメモリ領域（いくらかのバイナリデータ）と、大容量のメモリ領域（１つのプログラム全体の記憶や、受信データまたは同報通信しようとするデータを表すデータのすべてまたは一部を可能にする）の両方を指すことに留意されたい。
【００３４】
メモリＲＯＭ２２は、詳細には以下を備える。
−  「ｐｒｏｇ」２２０プログラム、および
−  物理層のパラメータ２２１。
【００３５】
下記で説明する本発明に固有の方法のステップを実施するアルゴリズムは、それらステップを実施する基地局２と関連付けられてメモリＲＯＭ２２に記憶される。電源が投入されると、マイクロプロセッサ２１は、それらアルゴリズムの命令をロードし、実行する。
【００３６】
ランダムアクセスメモリ２３は、特に以下を備える。
−  レジスタ２３０内に、基地局２における切り替えを担うマイクロプロセッサ２１の動作プログラム
−  送信パラメータ２３１（例えば変調、符号化、ＭＩＭＯ、フレームの繰り返しのパラメータ）、
−  受信パラメータ２３２（例えば変調、符号化、ＭＩＭＯ、フレームの繰り返しのパラメータ）、
−  受信データ２３３、
−  データ送信のための符号化データ２３４、
−  １つまたは複数の移動端末への基地局の割り当てパラメータ２３５
（例えば、割り当てられる移動端末の数、割り当てられる基地局の最大数、基地局と割り当てられた移動端末間のリンクの品質、基地局のビットレート単位で見た効率性、移動端末の位置の特定）、
−  物理チャネルのパラメータ２３６（例えば決定された時間インターバルの割り振り、決定された符号の割り振り、および／または基地局２によるデータの送信に決定されたサブキャリアのインターバルの割り振り）、
−  基地局２から送信される通信フレームヘッダの構造を表す情報、および
−  通信フレームの構造を表す情報（例えば１つまたは複数の移動端末への、時間インターバル、周波数インターバル、および／または空間インターバルの割り振りの記述）。
【００３７】
変形形態によると、基地局２は、ＲＡＭ内に、移動端末の地理的位置に対応したレジスタを備える。
【００３８】
無線インタフェース２６は、該当する場合にシステム１の移動端末１００１、１００２、１００３、１００４によって同報通信される信号を受信するように適合される。
【００３９】
図３は、システム１に属する移動端末３のハードウェア実施形態を模式的に示し、この移動端末３は、例えば移動端末１００１、１００２、１００３、１００４に対応し、基地局２から送信される信号を受信および復号するように適合される。
【００４０】
移動端末３は以下の要素を備え、要素間は、クロック信号も移送するアドレスおよびデータのバス３４で接続されている。
−  マイクロプロセッサ３１（すなわちＣＰＵ）、
−  ＲＯＭ（読み出し専用メモリ）型の不揮発性メモリ３２、
−  ランダムアクセスメモリすなわちＲＡＭ３３、
−  無線インタフェース３６、
−  データ送信に適合されたインタフェース３７、および
−  ユーザに情報を表示する、および／またはデータやパラメータ（例えばサブキャリアや送信データのパラメータの設定）を入力するために適合されたＭＭＩインタフェース３９。
【００４１】
メモリ３２および３３の説明で使用される単語「レジスタ」は、上記のメモリ各々において、小容量のメモリ領域と、大容量のメモリ領域（１つのプログラム全体の記憶や、受信または復号されたデータセットを表すデータのすべてまたは一部を可能にする）の両方を指すことに留意されたい。
メモリＲＯＭ３２は、特に、
−  「ｐｒｏｇ」３２０プログラム、および
−  物理層のパラメータ３２１
を備える。
【００４２】
下記で説明する本発明に固有の方法のステップを実施するアルゴリズムは、それらステップを実施する移動端末３と関連付けられてメモリＲＯＭ３２に記憶される。電源が投入されると、マイクロプロセッサ３１は、それらアルゴリズムの命令をロードし、実行する。
【００４３】
ランダムアクセスメモリ３３は、特に以下を備える。
−  レジスタ３３０内に、移動端末３における切り替えを担うマイクロプロセッサ３１の動作プログラム、
−  受信パラメータ３３１（例えば変調、符号化、ＭＩＭＯ、フレームの繰り返しのパラメータ）、
−  送信パラメータ３３２（例えば変調、符号化、ＭＩＭＯ、フレームの繰り返しのパラメータ）、
−  受信機３６によって受信され、復号されたデータに対応する受信データ３３３、および
−  インタフェースでアプリケーション３９に送信されるために形成される復号データ３３４。
【００４４】
図２および３に関して説明した構造以外の基地局２および／または移動端末３の他の構造が本発明に適用可能である。詳細には、変形形態によると、本発明に適用可能な基地局および／または移動端末は、純粋にハードウェアの実施形態により実施され、例えば、専用コンポーネントの形態（例えばＡＳＩＣ（特定用途集積回路）またはＦＰＧＡ（利用者書き換え可能ゲートアレー）またはＶＬＳＩ（大規模集積回路））、または機器内に一体化された数個の電子コンポーネントの形態、さらにはハードウェア要素とソフトウェア要素の組み合わせの形態で実施される。
【００４５】
無線インタフェース３６は、システム１の基地局１０１から１０４により同報通信される信号を受信するように適合される。
【００４６】
図４ａから４ｄはそれぞれ、本発明の特に有利な非制限実施形態による、図１のシステムの基地局ＢＳ１  １０１、ＢＳ２  １０２、ＢＳ３  １０３、Ｂ４  １０４各々のレベルにおけるバーストの交換を表す通信フレームの構造を示す。
【００４７】
図４ａは、一方にある基地局ＢＳ１ともう一方のネットワークの移動端末との間のバースト交換(exchanges of burst)を表す通信フレーム４００１を示す。フレーム４００１は、フレームヘッダ４０と、ダウンリンク、すなわち基地局から１つまたは複数の移動端末へのバースト送信のために割り振られた一連のインターバルＤＬ４１と、アップリンク、すなわち１つまたは複数の移動端末から送信されるバーストを受信するために割り振られた一連のインターバルＵＬ４２とを備える。フレームヘッダは、同じ第１の物理チャネルにある第１の基地局の集合ＢＳ１、ＢＳ２、ＢＳ３、ＢＳ４に相当する、ネットワークの基地局の集合ＢＳ１、ＢＳ２、ＢＳ３、ＢＳ４に共通のフレームヘッダの第１の部分４００と、第２の物理チャネルで送信される基地局ＢＳ１に固有の第２の部分４０１、の２つの部分からなる。物理チャネルは、サブキャリアのリスト、時間インターバル、干渉レベル、そしＣＤＭＡ（符号分割多重接続）アクセスの場合は同じ拡散符号、を含むパラメータの群によって特徴付けられる。第１の物理チャネルは、有利には、第２の物理チャネルとは異なる時間インターバルを用いる点で第２の物理チャネルと異なる。すなわち、ヘッダの第１の部分は、第１の時間インターバルと異なる少なくとも１つの第２の時間インターバルで送信される。ヘッダ４００の第１の部分は、フレームの構造を表す情報、すなわち、例えばフレームを構成する一連のＤＬおよびＵＬインターバルと、ヘッダ４０１の第２の部分の記述を備える。そのような記述は、例えば、各インターバルの開始および終了時間、フレームの継続時間、インターバルの下り（ＤＬ）または上り（ＵＬ）の特性、ＣＤＭＡ（符号分割多重接続）変調の場合に使用されるスペクトルの拡散符号のＯＦＤＭＡ（直交周波数分割多重接続）変調の場合に各インターバルに関連付けられた各バーストの通信に割り振られたサブキャリアを表す情報を含む。ヘッダ４０１の第２の部分は、２つのインターバル（またはミニインターバル）４０２および４０３からなり、４０２および４０３は、少なくとも１つの移動端末ＭＴ１  １００１への、それぞれＤＬおよびＵＬフレームのペイロードインターバルの割り振りを表す情報要素を備える。ミニインターバル４０２および４０３は、有利には、各々ＯＦＤＭシンボルに対応する。第１のシンボルＯＦＤＭ４０２は、数個の部分（ｎ個の部分、ｎは２以上の整数、例えば１６、６０、２４０。２０４８個の点の大きさおよび３２サブキャリアのブロックサイズのＦＦＴ（高速フーリエ変換）の場合は６０個の部分が得られ、８サブキャリアのブロックサイズの場合は２４０個の部分が得られる）に分割され、各部分に複数のサブキャリアが関連付けられる。ＯＦＤＭシンボルの第１の部分４０２１は、移動端末ＭＴ１へのダウンリンクＤＬのフレームの第１のインターバルＴ１  ４１０の割り振りを表す情報を備え、第２の部分４０２２は空のままにされ、ｎ番目の部分４０２ｎは、ネットワークの移動端末の集合を対象とするバーストを同報通信するためにＤＬのｎ番目のインターバルＴｎ  ４１ｎが割り振られていることを表す情報を備える。第２のシンボルＯＦＤＭ４０３もｎ個の部分に分割され、各部分に複数の���ブキャリアが関連付けられる。第１の部分４０３１は、移動端末ＭＴ１へのアップリンク（ＵＬ）の第１のインターバルＴ１  ４２０の割り振りを表す情報を備え、残りの（ｎ−１個の）インターバル４０３２から４０３ｎは空のままにされる。すなわち、このシンボルＯＦＤＭのサブキャリアでは信号は送信されない。少なくとも移動端末ＭＴ１へのフレームインターバルの割り振りを表す情報要素は、有利には、インターバルが割り振られる移動端末の識別子と、割り振られるインターバルの識別子を備える。変形形態によると、割り振られるインターバルの識別子は、ヘッダの第１の部分に含まれるフレームの構造を表す情報のうち、割り振られたインターバルを記述する部分を指すポインタ型の情報である。したがって、インターバルの割り振りを表す情報要素は、ヘッダの第１の部分に含まれるフレームの構造を表す情報の少なくとも一部を参照する。フレームの残りの部分は、ペイロードを移送するインターバルＤＬおよびＵＬからなる。ダウンリンクＤＬでは、第１のインターバル４１０が、ＢＳ１から移動端末ＭＴ１へのデータバーストの通信に割り振られ、インターバル４１１、４１２から４１（ｎ−１）は割り振られず、最後のインターバル４１ｎは、ネットワークの基地局の集合ＢＳ１からＢＳ４により、ネットワークの移動端末ＭＴ１からＭＴ４のすべてを対象とするバーストを同報通信するために割り振られる。アップリンクＵＬでは、第１のインターバル４２０は、移動端末ＭＴ１から送信されたバーストを、ＭＴ１と通信する第２の基地局の集合を形成する基地局ＢＳ１およびＢＳ２で受信するために割り振られる。アップリンクＵＬのその他のインターバル４２１、４２２から４２ｎは割り振られない。
【００４８】
図４ｂは、一方の基地局ＢＳ２と、もう一方のネットワークの移動端末との間のバースト交換を表す通信フレーム４００２を示す。フレーム４００２は、フレームヘッダ４３と、ダウンリンク通信に割り振られた一連のインターバルＤＬ４４と、アップリンク通信に割り振られた一連のインターバルＵＬ４５とを備える。ヘッダ４３も、同じ第１のヘッダ部分４００を有する。すなわち、第１の部分の内容は、それを送信するすべての基地局について同じであり、第１の基地局の集合（ＢＳ１からＢＳ４）により第１の物理チャネルで同期して送信され、第２のヘッダ部分４３１は、ＢＳ１から送信される第２のヘッダ部分４０１と同期して基地局ＢＳ２によって送信され、ＢＳ１によって送信される第２のヘッダ部分４０１の内容に対して内容が異なる。第２のヘッダ部分４３１は、２つのインターバル（またはミニインターバル）４３２および４３３からなり、４３２および４３３は、特に移動端末ＭＴ１  １００１およびＭＴ２  １００２へのそれぞれＤＬおよびＵＬフレームのペイロードのインターバルの割り振りを表す情報要素を備える。有利には、ミニインターバル４３２および４３３は各々、ＯＦＤＭシンボルに対応する。第１のミニインターバル４３２はｎ個の部分に分割され、ＯＦＤＭに従い、各部分に複数のサブキャリアが割り振られる。シンボルＯＦＤＭ４３２の第１の部分４３２１は、移動端末ＭＴ１にダウンリンクＤＬのフレームの第１のインターバルＴ１  ４４０が割り振られることを表す情報を備え、第２の部分４３２２は、移動端末ＭＴ２にフレームのペイロードの第２のインターバルＴ２  ４４１が割り振られることを表す情報を備え、ｎ番目の部分４０２ｎは、ネットワークの移動端末の集合を対象とするバーストを同報通信するためにＤＬのｎ番目のインターバルＴｎ  ４４ｎが割り振られることを表す情報を備える。第２のミニインターバル４３３もｎ個の部分に分割され、各部分に複数のサブキャリアが関連付けられる。シンボルＯＦＤＭ４３３の第１の部分４３３１は、移動端末ＭＴ１へのアップリンク（ＵＬ）の第１のインターバルＴ１  ４２０の割り振りを表す情報を備え、残りの（ｎ−１個の）インターバル４０３２から４０３ｎは空のままにされる。フレームの残りの部分は、ペイロードを移送するＤＬおよびＵＬインターバルからなる。ダウンリンクＤＬでは、第１のインターバル４４０は、ＢＳ２から移動端末ＭＴ１へのデータバーストの通信に割り振られ、このバーストは、同じくＭＴ１と通信するＢＳ１からも同期して送信され、第２のインターバル４４１は、ＢＳ２から移動端末ＭＴ２へのデータバーストの通信に割り振られ、最後のインターバル４４ｎは、ネットワークの基地局の集合ＢＳ１からＢＳ４により、ネットワークの移動端末ＭＴ１からＭＴ４すべてを対象とするバーストを同報通信するために割り振られる。アップリンクＵＬでは、第１のインターバル４５０は、ＭＴ１と通信する第２の基地局の集合を形成するＢＳ２およびＢＳ１が、移動端末ＭＴ１から送信されたバーストを受信するために割り振られる。アップリンクＵＬのその他のインターバル４２１、４２２から４２ｎは、割り振られない。
【００４９】
図４ｃは、一方の基地局ＢＳ３と、もう一方のネットワークの移動端末との間のバーストの交換を表す通信フレーム４００３を示す。フレーム４００３は、フレームヘッダ４６と、ダウンリンク通信に割り振られた一連のインターバルＤＬ４７と、アップリンク通信に割り振られた一連のインターバルＵＬ４８とを備える。ヘッダ４６も、第１の物理チャネルで第１の基地局の集合（ＢＳ１からＢＳ４）によって同期して送信される同一の第１のヘッダ部分４００と、ＢＳ１およびＢＳ２から送信される第２のヘッダ部分４０１と同期して基地局ＢＳ３から送信される第２のヘッダ部分４６１とを備え、第２のヘッダ部分４６１は、ＢＳ１および／またはＢＳ２によって送信される第２のヘッダ部分４０１の内容に対して内容が異なる。第２のヘッダ部分４６１は、２つのインターバル（またはミニインターバル）４６２および４６３を含み、４６２および４６３は、特に、移動端末ＭＴ２  １００２およびＭＴ３  １００３にそれぞれフレームＤＬおよびＵＬのペイロードのインターバルが割り振られることを表す情報要素を備える。有利には、ミニインターバル４６２および４６３は、各々ＯＦＤＭシンボルに対応する。第１のミニインターバル４６２はｎ個の部分に分割され、ＯＦＤＭに従い、各部分に複数のサブキャリアが割り振られる。シンボルＯＦＤＭ４６２の第１の部分４６２１は、ダウンリンクＤＬのフレームのペイロードの第１のインターバルＴ１  ４７０が移動端末ＭＴ３に割り振られることを表す情報を備え、第２の部分４６２２は、移動端末ＭＴ２にフレームのペイロードの第２のインターバルＴ２  ４７１が割り振られることを表す情報を備え、ｎ番目の部分４０２ｎは、ネットワークの移動端末の集合を対象とするバーストを同報通信するために、ＤＬのｎ番目のインターバルＴｎ  ４７ｎが割り振られることを表す情報を備える。第２のミニインターバル４６３もｎ個の部分に分割され、各部分に複数のサブキャリアが関連付けられる。シンボルＯＦＤＭ４６３の第１の部分４６３１は、移動端末ＭＴ３へのアップリンク（ＵＬ）の第１のインターバルＴ１  ４２０の割り振りを表す情報を備え、残りの（ｎ−１個の）インターバル４６３２から４０３ｎは空のままにされる。フレームの残りの部分は、ペイロードを移送するＤＬおよびＵＬインターバルからなる。ダウンリンクＤＬでは、第１のインターバル４７０は、ＢＳ３から移動端末ＭＴ３へのデータバーストの通信に割り振られ、第２のインターバル４７１は、ＢＳ３から移動端末ＭＴ２へのデータバーストの通信に割り振られ、このバーストは、ＭＴ２とも通信するＢＳ２からも同期して送信され、最後のインターバル４４ｎは、ネットワークの基地局の集合ＢＳ１からＢＳ４から、ネットワークの移動端末ＭＴ１からＭＴ４すべてを対象とするバーストを同報通信するために割り振られる。アップリンクＵＬでは、第１のインターバル４８０は、移動端末ＭＴ３から送信されたバーストをＢＳ３で受信するために割り振られる。アップリンクＵＬのその他のインターバル４８１、４８２から４８ｎは、割り振られない。
【００５０】
図４ｄは、一方の基地局ＢＳ４と、もう一方のネットワークの移動端末との間のバースト交換を表す通信フレーム４００４を示す。フレーム４００４は、フレームヘッダ４９と、ダウンリンク通信に割り振られた一連のインターバルＤＬ５０と、アップリンク通信に割り振られた一連のインターバルＵＬ５１とを備える。ヘッダ４９も、第１の物理チャネルで第１の基地局の集合（ＢＳ１からＢＳ４）によって同期して送信される同一の第１のヘッダ部分４００と、ＢＳ１、ＢＳ２、およびＢＳ３から送信される第２のヘッダ部分４０１、４３１、４６１と同期して基地局ＢＳ４から送信される第２のヘッダ部分４９１とを備え、第２のヘッダ部分４９１は、ＢＳ１、ＢＳ２、ＢＳ３によって送信される第２のヘッダ部分４０１、４３１、４６１の内容に対して内容が異なる。第２のヘッダ部分４９１は、２つのインターバル（またはミニインターバル）４９２および４９３を含み、４９２および４９３は、特に、移動端末ＭＴ４  １００４にフレームのそれぞれＤＬおよびＵＬのペイロードのインターバルが割り振られることを表す情報要素を備える。有利には、ミニインターバル４９２および４９３は、各々ＯＦＤＭシンボルに対応する。第１のミニインターバル４９２はｎ個の部分に分割され、ＯＦＤＭに従い、各部分に複数のサブキャリアが割り振られる。シンボルＯＦＤＭ４９２の第１の部分４９２１は、ダウンリンクＤＬのフレームペイロードの第１のインターバルＴ１  ５００が移動端末ＭＴ４に割り振られることを表す情報を備え、第２の部分４９２２は空のままにされ、ｎ番目の部分４０２ｎは、ネットワークの移動端末の集合を対象とするバーストを同報通信するためにＤＬのｎ番目のインターバルＴｎ  ４９ｎが割り振られることを表す情報を備える。第２のミニインターバル４９３もｎ個の部分に分割され、各部分に複数のサブキャリアが関連付けられる。シンボルＯＦＤＭ４９３の第１の部分４９３１は、移動端末ＭＴ４へのアップリンク（ＵＬ）の第１のインターバルＴ１  ５１０の割り振りを表す情報を備え、残りの（ｎ−１個の）インターバル４９３２から４９３ｎは空のままにされる。フレームの残りの部分は、ペイロードを移送するＤＬおよびＵＬインターバルからなる。ダウンリンクＤＬでは、第１のインターバル５００は、ＢＳ４から移動端末ＭＴ４へのデータバーストの通信に割り振られ、インターバル５０１、５０２から５０（ｎ−１）は割り振られず、最後のインターバル５０ｎは、ネットワークの基地局の集合ＢＳ１からＢＳ４により、ネットワークの移動端末ＭＴ１からＭＴ４すべてを対象とするバーストを同報通信するために割り振られる。アップリンクＵＬでは、第１のインターバル５１０は、移動端末ＭＴ４から送信されたバーストをＢＳ４で受信するために割り振られる。アップリンクＵＬのその他のインターバル５１１、５１２から５１ｎは、割り振られない。
【００５１】
変形形態によると、フレームヘッダの第２の部分に含まれるミニインターバルは、ＯＦＤＭシンボルには対応せず、時間的に分散されたインターバルに対応する。したがって、このミニインターバルに含まれる各情報要素は、有利にはミニ時間インターバルに対応する。
【００５２】
図５ａから５ｄは、本発明の特に有利な非制限的実施形態による、図１のシステムのそれぞれ基地局ＢＳ１１０１、ＢＳ２１０２、ＢＳ３１０３、ＢＳ４１０４各々のレベルにおける通信フレームヘッダの構造を示す。
【００５３】
図５ａは、局ＢＳ１によって送信される通信フレームヘッダ５００１を示す。ヘッダ５００１は、第１のヘッダ部分５０１１と第２のヘッダ部分５０１２の２つの部分からなる。第１のヘッダ部分５０１１は、第１のパイロット５２０、すなわち受信側が受信信号の伝搬条件を推定することを可能にする信号と、部分５２１と備え、部分５２１は、フレームの構造を表す情報を備え、例えば、第２のヘッダ部分５０１２の構造の記述とフレームのペイロードの構造の記述を備える。第２のヘッダ部分５０１２はミニインターバルを備え、各ミニインターバルは、ネットワークの移動端末へのＤＬおよびＵＬのフレームのペイロードのインターバルの割り振りを表す情報要素を含んでいる。したがって、第１のＯＦＤＭシンボルは、ｎ個の部分５２３および５２５に分割され、ｎは１以上の整数である。第１のＯＦＤＭシンボルの第１の情報要素５２３は、フレームのペイロードの最初のインターバルＤＬ４１０、４４０がＭＴ１に割り振られることを表し、最後の情報要素５２５は、最後のインターバルＤＬ４１ｎ、４４ｎおよび５０ｎが、ネットワークの移動端末の集合ＭＴ１からＭＴ４を対象とするバーストを、基地局の集合ＢＳ１からＢＳ４により同報通信するために割り振られることを表す。第２のＯＦＤＭシンボルは、フレームのペイロードＵＬの最初のインターバル４２０、４５０がＭＴ１に割り振られることを表す第１の情報要素５２７を備える。各情報要素５２３、５２５、５２７の前にはそれぞれパイロット５２２、５２４、５２６が置かれる。
【００５４】
図５ｂは、局ＢＳ２によって送信される通信フレームヘッダ５００２を示す。ヘッダ５００２は、第１のヘッダ部分５０１１と第２のヘッダ部分５０２２の２つの部分からなる。第１のヘッダ部分５０１１は、第１のパイロット５２０と部分５２１とを備え、部分５２１は、フレームの構造を表す情報を備え、例えば、第２のヘッダ部分５０１２の構造の記述とフレームのペイロードの構造の記述を備える。第２のヘッダ部分５０２２はミニインターバルを備え、各ミニインターバルは、ネットワークの移動端末へのＤＬおよびＵＬのフレームのペイロードのインターバルの割り振りを表す情報要素を含んでいる。したがって、第１のＯＦＤＭシンボルは、ｎ個の部分５２３、５２５、５２９に分割される。第１のＯＦＤＭシンボルの第１の情報要素５２３は、フレームのペイロードの最初のインターバルＤＬ４１０、４４０がＭＴ１に割り振られることを表し、情報要素５２９は、フレームの２番目のインターバル４４１および４７１がＭＴ２に割り振られることを表し、最後の情報要素５２５は、最後のインターバルＤＬ４１ｎ、４４ｎおよび５０ｎが、ネットワークの移動端末の集合ＭＴ１からＭＴ４を対象とするバーストを、基地局の集合ＢＳ１からＢＳ４により同報通信するために割り振られることを表す。第２のＯＦＤＭシンボルは、フレームのペイロードＵＬの最初のインターバル４２０、４５０がＭＴ１に割り振られることを表す第１の情報要素５２７を備える。各情報要素５２３、５２５、５２７、５２９の前にはそれぞれパイロット５２２、５２４、５２６、５２８が置かれる。
【００５５】
図５ｃは、局ＢＳ３によって送信される通信フレームヘッダ５００３を示す。ヘッダ５００３は、第１のヘッダ部分５０１１と第２のヘッダ部分５０３２の２つの部分からなる。第１のヘッダ部分５０１１は、第１のパイロット５２０と部分５２１とを備え、部分５２１は、フレームの構造を表す情報を備え、例えば、第２のヘッダ部分５０３２の構造の記述とフレームのペイロードの構造の記述を備える。第２のヘッダ部分５０３２はミニインターバルを備え、各ミニインターバルは、ネットワークの移動端末へのＤＬおよびＵＬのフレームのペイロードのインターバルの割り振りを表す情報要素を含んでいる。したがって、第１のＯＦＤＭシンボルは、ｎ個の部分５３１、５２９、５２５に分割される。第１のＯＦＤＭシンボルの第１の情報要素５３１は、フレームのペイロードの最初のインターバルＤＬ４７０がＭＴ３に割り振られることを表し、情報要素５２９は、フレームの２番目のインターバル４４１および４７１がＭＴ２に割り振られることを表し、最後の情報要素５２５は、最後のインターバルＤＬ４１ｎ、４４ｎ、４７ｎ、５０ｎが、ネットワークの移動端末の集合ＭＴ１からＭＴ４を対象とするバーストを、基地局の集合ＢＳ１からＢＳ４により同報通信するために割り振られることを表す。第２のＯＦＤＭシンボルは、フレームのペイロードＵＬの最初のインターバル４８０がＭＴ３に割り振られることを表す第１の情報要素５３３を備える。各情報要素５３１、５２５、５２９、５３３の前にはそれぞれパイロット５３０、５２４、５２８、５３２が置かれる。
【００５６】
図５ｄは、局ＢＳ４によって送信される通信フレームヘッダ５００４を示す。ヘッダ５００４は、第１のヘッダ部分５０１１と第２のヘッダ部分５０４２の２つの部分からなる。第１のヘッダ部分５０１１は、第１のパイロット５２０と部分５２１とを備え、部分５２１は、フレームの構造を表す情報を備え、例えば、第２のヘッダ部分５０４２の構造の記述とフレームのペイロードの構造の記述を備える。第２のヘッダ部分５０４２はミニインターバルを備え、各ミニインターバルは、ネットワークの移動端末へのＤＬおよびＵＬのフレームのペイロードのインターバルの割り振りを表す情報要素を含んでいる。したがって、第１のＯＦＤＭシンボルは、ｎ個の部分５３５および５２５に分割される。第１のＯＦＤＭシンボルの第１の情報要素５３５は、フレームのペイロードの最初のインターバルＤＬ５００がＭＴ４に割り振られることを表し、最後の情報要素５２５は、最後のインターバルＤＬ４１ｎ、４４ｎ、４７ｎ、５０ｎが、ネットワークの移動端末の集合ＭＴ１からＭＴ４を対象とするバーストを、基地局の集合ＢＳ１からＢＳ４により同報通信するために割り振られることを表す。第２のＯＦＤＭシンボルは、フレームのペイロードＵＬの最初のインターバル５１０がＭＴ４に割り振られることを表す第１の情報要素５３７を備える。各情報要素５３５、５２５、５３７の前にはそれぞれパイロット５３４、５２４、５３６が置かれる。
【００５７】
第１のヘッダ部分５０１１は、有利には、基地局の集合により第１の物理チャネルで同じ周波数で同期して送信される。したがって、インターバル５２１の送信の前に送信されるパイロット５２０で、パイロット５２０を受信するすべての移動端末がチャネル応答を推定し、インターバル５２１を受信して正確に復号することが可能になる。インターバル５２１は、ヘッダの第２の部分５０１２、５０２２、５０３２、５０４２の構造とフレームペイロードの構造を表す情報を備えるが、これは、ヘッダの第２の部分の構造が送信元のすべての基地局に共通であることを意味する。ヘッダの第２の部分の内容のみが、発信元の基地局に応じて異なる。同じ論法が、通信フレームのペイロードの構造に当てはまる。
【００５８】
第１のヘッダ部分とミニインターバルは同一の基地局の集合によって送信されないので、伝搬チャネルは、第１のヘッダ部分の伝送とミニインターバルの伝送とで異なる。受信信号の復号を試みる移動端末は、各ヘッダ部分の前、より一般的には各ミニインターバルの前にチャネル推定を実施しなければならない。したがって、第１のヘッダ部分と各ミニインターバルは、受信機および移動端末が当業者に周知の技術に従って新しい伝搬チャネル応答を計算するように、パイロットシーケンスを備える。パイロットシーケンスは、有利には、ミニインターバルデータを含むＯＦＤＭシンボルより前にあるＯＦＤＭシンボルで構成される。変形形態によると、パイロットシーケンスは、ミニインターバルデータを含むＯＦＤＭシンボルと同じＯＦＤＭシンボル中に含まれ、ＯＦＤＭシンボルのサブキャリアの一部がパイロットシーケンスの移送に使用される。その場合、伝搬チャネルの完全な推定は、ミニインターバルデータを移送する残りの他のサブキャリアに周波数応答を補間することによって行われる。
【００５９】
別の変形形態によると、有利には、同じ物理チャネルを共有する場合、すなわち特に同じ基地局から送信される場合に、フレームヘッダの第２の部分のミニインターバルがグループ化される。これは例えば、基地局ＢＳ１およびＢＳ２を含む第２の集合の基地局についてＭＴ１にインターバルが割り振られることを表す情報を含むミニインターバル、または、基地局ＢＳ２およびＢＳ３を含む第３の集合の基地局についてＭＴ２にインターバルが割り振られることを表す情報を含むミニインターバルの場合である。この変形形態は、帯域幅を最適化し、システム１の性能を向上させる利点がある。
【００６０】
図６は、本発明の特に有利な非制限的実施形態による、一方が少なくとも２つの基地局２を備え、もう一方が少なくとも１つの基地局２を備える、少なくとも２つの基地局の集合で実施される送信方法を示す。
【００６１】
初期化ステップ６０で、各基地局の各種パラメータが更新される。詳細には、送信または受信される信号に対応するパラメータと、対応するサブキャリアに対応するパラメータが任意の方式で初期化される（例えば、マスタ局と称される基地局のうち１つ、またはシステム１に図示しないサーバ、またはオペレータコマンドによって送信される初期化メッセージの受信に従って）。
【００６２】
次いでステップ６１で、少なくとも２つの基地局ＢＳ  １０１、ＢＳ２  １０２、ＢＳ３  １０３、ＢＳ４  １０４を備える第１の集合が、第１の物理チャネルでフレームヘッダ４００の第１の部分を同期して送信する。第１のヘッダ部分は、有利には、システム１の通信フレームの構造を表す情報、すなわちフレームのヘッダとペイロードの構造の記述を備える。ヘッダの第１の部分は、例えば第２のヘッダ部分を備えるミニインターバルの記述、すなわち、ミニインターバルの開始および終了時間、各ミニインターバルに割り振られたサブキャリア、使用される変調の種類（すなわち、例えばＱＰＳＫ（４位相偏移変調）または１６ＱＡＭ（１６直交振幅変調）のコンステレーション（ｃｏｎｓｔｅｌｌａｔｉｏｎ）タイプ、１つまたは複数の重畳／ＬＤＰＣ（低密度パリティチェック）タイプ符号の使用、例えば空間多重化やＳＴＯＢＣ（空間時間直交ブロック符号）を含むＭＩＭＯスキーマの使用、およびパイロットサブキャリアの分布を含む、使用される変調レベルや物理的方式）に関する情報、またはパイロットに関する情報と、フレームのペイロードインターバルの記述、すなわち、例えば各インターバルのアップリンクＵＬまたはダウンリンクＤＬ、各インターバルの開始および終了時間、ＯＦＤＭＡの場合に割り振られるサブキャリア、ＣＤＭＡの場合に使用される拡散符号、フレームの継続時間等と、を備える。
【００６３】
次いで、ステップ６２で、少なくとも１つの基地局ＢＳ１  １０１およびＢＳ２  １０２を備える第２の基地局の集合が、第２の物理チャネルで第２のフレームヘッダ部分４０１、４３１を同期して送信する。第２のヘッダ部分の構造は、送信元の基地局に関係なく同じである。有利には、第２のヘッダ部分の内容は、送信元の基地局に応じて異なる。第２のヘッダ部分は、有利には、１つまたは複数の移動端末へのフレームペイロードのＤＬまたはＵＬインターバルの割り振りを表す１つまたは複数の情報要素を含む。ＯＦＤＭ変調の場合、第２のヘッダ部分は有利には２つのミニインターバルを備え、各ミニインターバルは、第２の基地局の集合の少なくとも１つの基地局と通信する１つまたは複数の移動端末へのフレームペイロードインターバルの割り振りに関する情報を備えるＯＦＤＭシンボルに対応する。第１のミニインターバルは、例えば、ダウンリンクＤＬのインターバルの割り振りに関する情報に関連付けられ、第２のミニインターバルは、例えば、アップリンクＵＬのインターバルの割り振りに関する情報に関連付けられる。ＯＦＤＭプロパティを使用して、各ＯＦＤＭシンボルは、対象のＯＦＤＭシンボルに応じて、フレームのダウンリンクまたはアップリンクを構成するインターバルの数と同じ数の部分に分割される。そして、ＯＦＤＭシンボルの各部分に、フレームのインターバルの割り振りに関する情報要素を移送する複数のサブキャリアが関連付けられる。インターバルの割り振りを表す各情報要素は、有利には、対象フレームのインターバルが割り振られた移動端末の識別子を備える。変形形態によると、フレームの構造の記述を含むフレームヘッダの第１の部分は、例えばインターバル番号の昇順で各フレームインターバルと識別子の関連付けを表す情報を備える。したがって、第２のヘッダ部分の各情報要素は、フレームインターバル識別子を備える第１のヘッダ部分を参照する。すなわち、第２のヘッダ部分の各情報要素は、所与の移動端末に割り振られたフレームのインターバルを記述する第１のヘッダ部分の一部をポイントする（point,指し示す）。
【００６４】
有利には、第１の物理チャネルと第２の物理チャネルは、第１の物理チャネルが第１の時間インターバルを使用する点、すなわち、第１のヘッダ部分は第１の時間インターバル中に送信される点で異なり。また、第１の物理チャネルと第２の物理チャネルは、第２の物理チャネルが第１の時間インターバルとは異なる第２の時間インターバルを使用する点、すなわち、第２のヘッダ部分は、第１の時間インターバルとは異なる第２の時間インターバル中に送信される点で異なる。物理チャネルは、サブキャリアのリスト、時間インターバル、干渉レベル、ＣＤＭＡ（符号分割多重接続）アクセスの場合は同じ拡散符号、を含むパラメータ群によって特徴付けられ、変形形態によると、第１の物理チャネルと第２の物理チャネルは、上記パラメータの１つまたは組み合わせが異なる点で異なる。
【００６５】
変形形態によると、フレームのペイロードの構造を表す情報は第２のヘッダ部分に含まれ、そして第１のヘッダ部分は、フレームヘッダの第２の部分の構造を表す情報のみを備える。この変形形態によると、各ミニインターバルのフレームのペイロードのインターバルの割り振りを表す各情報は、割り振られたインターバルを表す情報を備える（継続時間、使用される変調方式、開始および終了時間等）。
【００６６】
有利には、フレームヘッダの第１の部分は、ネットワークの基地局の集合、すなわち第１の集合により、単一の同じ第１の物理チャネルで送信される。このフレームヘッダの第１の部分の内容は、送信元の基地局に関わらず同じである。変形形態によると、第２のヘッダ部分のミニインターバルの送信に使用される物理チャネルは、ミニインターバルに応じて異なる。別の変形形態によると、ヘッダの第２の部分のミニインターバルに含まれる各情報要素の送信に使用される物理チャネルは、情報要素に応じて異なる。第２の集合の少なくとも２つの基地局によって送信されるフレームのインターバルの割り振りを表す情報要素は、有利には同じ第２の物理チャネルで送信される。
【００６７】
特に有利な変形形態によると、少なくとも２つの基地局ＢＳ２  １０２およびＢＳ３  １０３を備える第３の基地局の集合は、第２のヘッダ部分を同じ周波数で第２の部分として同期して送信する。したがって、フレームヘッダの第２の部分の構造は、送信元の基地局の集合すべてについて同じである。第２のヘッダ部分の内容は、集合ごとに異なり、変形形態によると基地局ごとに異なる。第３の基地局の集合によって送信される第２のヘッダ部分は、フレームのＤＬおよび／またはＵＬペイロードの１つまたは複数のインターバル、または、１つまたは複数の第２の移動端末の割り振りを表す１つまたは複数の情報要素を備える。第３の集合は第１の集合に含まれ、第１の集合とは異なる（特に第１の集合の基地局ＢＳ１およびＢＳ４を備えない点で）。第２の集合と第３の集合は、例えばＢＳ２等の共通の基地局を有する。第２の集合と第３の集合は異なる（特に第２の集合は基地局ＢＳ３を備えず、第３の集合は基地局ＢＳ１を備えない点で）。移動端末ＭＴ１は基地局ＢＳ２およびＢＳ３と通信し、ＢＳ２は第２の集合と第３の集合の両方に属し、したがって、ＭＴ１およびＭＴ２へのフレームのインターバルの割り振りを表すいくつかの情報要素は、第２の集合と第３の集合から送信される第２のヘッダ部分に共通である。したがって、干渉を回避するために、ＭＴ１とＭＴ２に割り振られるインターバルは異なる。ＭＴ１とＭＴ２に割り振られるインターバルは、有利には、特にＴＤＭＡ（時分割多重接続）変調の場合に異なる時間インターバルを使用する点で異なる。変形形態によると、ＭＴ１とＭＴ２に割り振られるインターバルは、ＯＦＤＭＡ変調の場合に異なるサブキャリアを使用する点で異なる。別の変形形態によると、ＭＴ１とＭＴ２に割り振られるインターバルは、異なる空間ストリームを使用する点で異なり、１つの空間ストリームは、伝送容量を増加するために空間多重化技術を使用してＭＩＭＯ送信機によって送信される信号の１つに対応する。変形形態によると、ＭＴ１とＭＴ２に割り振られるインターバルは、ＴＤＭＡ、ＯＦＤＭＡ、および／または空間変調のいずれかの組み合わせが適用される点で異なる。
【００６８】
図７は、本発明の特に有利な非制限的実施形態による、一方が少なくとも２つの基地局２を備え、もう一方が少なくとも１つの基地局２を備える、少なくとも２つの基地局の集合内で実施される送信方法を示す。
【００６９】
初期化ステップ７０で、各基地局の各種パラメータが更新される。詳細には、送信または受信される信号に対応するパラメータと、対応するサブキャリアに対応するパラメータが任意の方式で初期化される（例えば、マスタ局と称される基地局のうち１つ、またはシステム１に図示しないサーバ、またはオペレータコマンドによって送信される初期化メッセージの受信に従って）。
【００７０】
次いでステップ７１で、１つまたは複数の移動端末が、通信バーストの交換のために基地局の集合に割り当てられる。そのような割り当てについては、特に、２００８年１１月２１日に出願された特許文献１に記載される。特許文献１は、少なくとも１つの決定された割り当てパラメータに従って、各移動端末を基地局の集合に割り当てる方法について記載する。少なくとも１つの割り当てパラメータは、以下のパラメータを含むパラメータ群に属する。
−  割り当てようとする基地局に割り当てられた移動端末の数：  新しい移動端末に割り当てようとする基地局に割り当てられた移動端末の数が閾値より小さい場合は、新しい移動端末の割り当てが行われ、新しい移動端末に割り当てようとする基地局に割り当てられた移動端末の数がこの閾値より大きい場合は、新しい移動端末の割り当ては行われない。閾値の非制限的な例は、５、１０、２０、５０、１００、２００、３００台等の通信中の移動端末（すなわち、自身を対象とするデータを受信し、処理する端末）である。変形形態によると、閾値は、通信中の移動端末に加えて、待機中の移動端末（すなわち、基地局が割り当てられているがアクティブな通信状態にない端末。すなわち、明確に自身を対象とするデータの受信を待っている端末）を考慮に入れ、例えば１００、５００、１０００台等の待機中の移動端末を考慮に入れる。変形形態によると、閾値は、各移動端末に必要なリソース（例えば帯域幅要件）を考慮する。このパラメータを考慮すると、特に、ネットワークを飽和させず、割り当てられた各移動端末に十分な量の帯域幅を保証するという利点が得られる。
−  １つの移動端末に割り当てられる基地局の最大数：  所与の移動端末に割り当てることができる基地局の最大数は固定されており（例えば３、４、５等）、検討中の移動端末に割り当てようとする新しい基地局は、その移動端末に割り当てられた基地局が最大数に達していない場合にのみ割り当てられることができる。割り当てられた基地局の最大数に達している場合、検討中の移動端末に割り当てようとする新しい基地局は、既に割り当てられた基地局の割り当てが解除される場合にのみ割り当てられることができる。変形形態によると、所与の移動端末に割り当てられる基地局の最大数は、次の２つの間の折り合いとなる。  
・基地局によって形成されるネットワークの帯域幅の効率性の損失：  効率の損失を最小にするには基地局の数を制限する必要がある。  
・その移動端末を対象とする同じデータを単一の周波数で同期して送信する基地局を増やすことで得られるダイバーシティの利得による、移動端末の受信の利得
このパラメータを考慮すると、特に、１台の移動端末に多過ぎる数の基地局が割り当てられるのを回避することによって基地局の利用状況を最適化するという利点が得られ、また、例えば、ネットワーク内で実装される基地局の数を制限することができる。
−  割り当てようとする基地局と対象の移動端末との間のリンクの品質：  リンクの品質は例えば、基地局で受信され、移動端末から送信される信号電力の測定、従来技術で周知の技術によって実施される測定から推定される。有利には、移動端末から送信される信号の受信レベルが最も高い基地局が優先的に対象の移動端末に割り当てられ、移動端末に割り当てられる追加的な基地局は、信号受信レベルの高い順に決定される（最良レベルから開始）。変形形態によると、受信レベルが閾値未満（例えば最良の基地局の受信レベルを基準として１０ｄＢ、１５ｄＢ、または２０ｄＢ未満）の基地局は、割り当てられない。別の変形形態によると、移動端末から送信された信号を受信する基地局で実施される電力測定の頻度は、ＳＮＲ（信号対雑音比）が下がると増大し、ＳＮＲが上がると低下する。このパラメータを考慮すると、特に、移動端末による処理のために、送信信号が有効に受信される基地局だけが移動端末に割り当てられるという利点が得られる。
−  割り当てようとする基地局のビットレートの効率性：  割り当てようとする基地局によって提供されるビットレートが閾値よりも大きい場合は、割り当てが失敗しなければ割り当てが行われる。変形形態によると、基地局によって形成されるネットワークの総ビットレートが基地局割り当ての際に考慮される。ビットレートが閾値より大きい基地局は、例えば、別の移動端末との通信を確立するために使用できる唯一の基地局であるので、割り当てられない。このパラメータの考慮により、特に、移動端末に対して最小限のビットレートを保証するという利点が得られる。
−  対象とする移動端末の位置の特定：  検討対象の移動端末との距離が閾値よりも小さい１つまたは複数の基地局が、その移動端末に割り当てられる。ピコセルシステムの場合は、閾値は、例えば５０ｍ、１００ｍ、または２００ｍの値を非制限的にとる。フェムトセルシステムの場合は、閾値は、例えば５ｍ、１０ｍ、または５０ｍの値を非制限的にとる。移動端末の位置特定により、移動端末の絶対的な地理的位置、または（基地局を基準とした）相対的な地理的位置が理解される。位置は、例えばＧＰＳにより、または、従来技術で周知の技術で、移動端末によって送信され、基地局によって受信される信号から、各基地局と移動端末との間の距離を測定することによって求められる。このパラメータを考慮することにより、特に、実装が簡略になるという利点が得られる。
このようにして、移動端末ＢＴ１は、ＢＳ１およびＭＳ２を備える第２の基地局の集合に割り当てられ、移動端末は、ＢＳ２およびＢＳ３を備える第３の基地局の集合に割り当てられ、移動端末は、例えば第４の集合を形成する基地局ＢＳ３に割り当てられ、移動端末ＭＴ４は、例えば第５の集合を形成するＢＳ４に割り当てられる。このようにして各移動端末に割り当てられた１つまたは複数の基地局は、割り振られた移動端末を対象とするデータの送信と、割り振られた移動端末から送信されるデータの受信を担う。
【００７１】
次いでステップ７２で、第１のパイロット、すなわち、受信する移動端末が信号の伝搬チャネルを推定することを可能にする参照信号が送信される。第１のパイロットは、第１の集合の基地局の集合ＢＳ１からＢＳ４により同じ第１の物理チャネルで同期して送信される。有利には、第１のパイロットは、フレームヘッダの第１の部分の前に送信されるＯＦＤＭ信号からなる。変形形態によると、第１のパイロットは、フレームヘッダの第１の部分の送信に対応するインターバルの前に、第１の時間ミニインターバルで送信される。別の変形形態によると、第１のパイロットは、第１のヘッダ部分のデータを移送するＯＦＤＭシンボルと同じＯＦＤＭシンボルに含まれ、ＯＦＤＭシンボルのサブキャリアの一部がこの第１のパイロットの送信に割り振られる。
【００７２】
次いでステップ７３で、少なくとも１つの第１のヘッダ部分が、基地局ＢＳ１  １０１、ＢＳ２  １０２、ＢＳ３  １０３、ＢＳ４  １０４を備える第１の基地局の集合によって送信される。第１のヘッダ部分を送信するステップは、上記の図４で説明したステップ６１と同様であり、ここでは再度詳しく説明しない。
【００７３】
有利には、ステップ７４で、第２のパイロットが第２のヘッダ部分の送信の前に送信される。第２のヘッダ部分の内容は、それを送信する基地局の集合に応じて、または有利にはそれを送信する基地局に応じて異なるが、有利には、第２のパイロットは、第２のヘッダ部分に含まれる移動端末へのフレームのインターバルの割り振りを表す情報要素ごとに送信される。有利には、第２のパイロットは、第２のヘッダ部分を構成する各ミニインターバルの前に送信されるＯＦＤＭシンボルから構成される。変形形態によると、第２のパイロットは、フレームのインターバルの割り振りを表す各情報要素の後に送信されるＯＦＤＭシンボルの一部から構成される。別の変形形態によると、ミニインターバルまたは情報要素に関連付けられた第２のパイロットが、それぞれミニインターバルデータまたは情報要素に関連するデータを備えるＯＦＤＭシンボルと同じＯＦＤＭシンボル中に含まれ、そのＯＦＤＭシンボルのサブキャリアの一部が第２のパイロットの移送に使用される。次いで、ミニインターバルのデータまたは情報要素を移送する残りの他のサブキャリアに周波数応答を補間することにより、移動端末で伝搬チャネルの完全な推定が行われる。
【００７４】
最後にステップ７５で、第２のヘッダ部分が図５のステップ６２で説明したように送信される。対象の集合に割り当てられた移動端末へのフレームのインターバルの割り当てを表す情報に内容が対応している第２のヘッダ部分を送信する集合の基地局。したがって、第２のヘッダ部分の内容は、通信のためにその送信元の基地局に割り当てられた１つまたは複数の移動端末に応じて、送信元基地局に固有となる。変形形態によると、第２の部分の一部が送信された後、第２のヘッダ部分の別の部分を送信する前に別の第２のパイロットを送信するために第２のパイロットの送信ステップ７４が再度実施される。有利には、このシナリオは、第２のヘッダ部分に備わるすべてのミニインターバルまたは情報要素について繰り返される。
【００７５】
図８は、本発明の特に有利な非制限的実施形態による、移動端末３で実施される受信方法を示す。
【００７６】
初期化ステップ８０で、移動端末の種々のパラメータが更新される。詳細には、送信または受信される信号に対応するパラメータ、および対応するサブキャリアのパラメータが任意の方式で初期化される（例えば、マスタ局と称される基地局のうち１つ、またはシステム１に図示しないサーバ、またはオペレータコマンドによって送信される初期化メッセージの受信に従って）。
【００７７】
次いでステップ８１で、移動端末が、通信フレームヘッダの第１の部分のすべてまたは一部を受信し、復号する。第１のヘッダ部分は、第１の基地局の集合ＢＳ１からＢＳ４により、同じ第１の時間インターバル中に、またはＣＤＭＡアクセスの場合は同じスペクトル拡散符号で、同じ第１の物理チャネルで同期して、すなわち同じ周波数で送信され、各移動端末ＭＴ１からＭＴ４はフレームヘッダの第１の部分を受信し、復号する。有利には、フレームヘッダの第１の部分は、フレームヘッダの構造とフレームのペイロードの構造を表す情報、すなわちフレームヘッダに含まれる一連のミニインターバルの記述とフレームのペイロードのインターバルの記述を備える。
【００７８】
ステップ８２で、１つまたは複数の移動端末が、フレームヘッダの第２の部分のすべてまたは一部を受信し、復号する。ヘッダの第２の部分に含まれる各ミニインターバルの内容は、基地局の集合ごとに、または有利には基地局ごとに異なり、ミニインターバル（またはペイロードのインターバルの割り振りを表す情報要素）に適用される符号化（ＯＦＤＭにおけるサブキャリアの割り当て、またはＣＤＭＡにおけるスペクトル拡散符号の割り当て）は、有利には、ミニインターバルごとに異なり、所与の移動端末は、第２のヘッダ部分の１つの部分のみを復号することができる。ミニインターバルのサイズは小さく、各ミニインターバルは、例えば移動端末の識別子やその移動端末に割り振られたインターバルの識別子等の最小限の数の情報だけを含み、ＯＦＤＭシンボルの一部のみが、その情報を移送することができる。ＯＦＤＭＡに従ってミニインターバルを多重化することにより、同一のＯＦＤＭシンボルで、しかし異なるサブキャリアで数個のミニインターバルを送信することが可能になる。そのような技術によると、そのような信号を受信する移動端末は、どのサブキャリアがアクティブなのかを検出し、次いでそのサブキャリアを復号し、自身に割り振られたミニインターバル（または情報要素）を検出する。特に有利な変形形態によると、例えばＦＥＣ（順方向誤り訂正）タイプの堅牢なエラー防御方式がミニインターバルの符号化に適用されて、特に移動端末が別の移動端末に割り振られたインターバルを使用する場合に、誤った復号を回避する。変形形態によると、所与の移動端末は、閾値を超える電力レベルで受信されたミニインターバル（または情報要素）のみを復号する。実際、所与の移動端末ＭＴ１との通信に割り振られた基地局ＢＳ１およびＢＳ２は、ネットワークの他の基地局ＢＳ３およびＢＳ４までよりも端末に近く、移動端末ＭＴ１に割り振られたミニインターバルは、ＢＳ１およびＢＳ２から送信される他のミニインターバルよりも高い電力レベルで受信されるが、対象となる移動端末ＭＴ１には関係しない。そのため、所与の移動端末が、基地局から送信されたミニインターバルの集合の中から、より一般的には、他の移動端末に他のミニインターバル（または情報要素）を送信する他の基地局によって発生した干渉から、自身を対象とするミニインターバルを検出することが容易である。図４ａから４ｄおよび５ａから５ｄを参照すると、移動端末ＭＴ１は、第２の基地局の集合の基地局から送信されたミニインターバル（または情報要素）５２３、５２５、５２７を検出および復号し、移動端末ＭＴ２は、第３の集合の基地局から送信されたミニインターバル５２９および５２５を検出および復号し、移動端末ＭＴ３は、第４の集合の基地局から送信されたミニインターバル５３１、５３３および５２５を検出および復号し、移動端末ＭＴ４は、第５の集合の基地局から送信されたミニインターバル５３５、５３７、および５２５を検出および復号する。
【００７９】
有利には、所与の基地局の集合により所与の移動端末に割り振られたミニインターバルは、その他の移動端末に割り振られ、その他の基地局の集合から送信されるミニインターバルの送信に使用される物理チャネル以外の物理チャネルで送信される。
【００８０】
変形形態によると、第２のヘッダ部分のミニインターバルの集合は、同じ第２の物理チャネルで送信される。各移動端末は、次いで第２のヘッダ部分全体を受信し、復号する。そして、例えば、所与の移動端末に割り振られたミニインターバルがその移動端末の識別子を含んでいるために、所与の移動端末に関連するデータを検出することができる。
【００８１】
図９は、本発明の特に有利な非制限的実施形態による、移動端末３で実施される受信の方法を示す。
【００８２】
初期化ステップ９０で、移動端末の種々のパラメータが更新される。詳細には、送信または受信される信号に対応するパラメータおよび対応するサブキャリアのパラメータが任意の方式で初期化される（例えば、マスタ局と称される基地局のうち１つ、またはシステム１に図示しないサーバ、またはオペレータコマンドによって送信される初期化メッセージの受信に従って）。
【００８３】
次いでステップ９１で、移動端末ＭＴ１からＭＴ４が、基地局ＢＳ１からＢＳ４を備える第１の集合から送信された第１のパイロットを同期して受信し、復号する。この第１のパイロットに基づいて、１つまたは複数の移動端末は、当業者に知られる任意の方式で物理チャネルの第１の推定を実施する。物理チャネルの推定により、移動端末が受信信号の効率的な復調を行うことが可能になる。実際には、移動端末は、伝搬条件によって生じた干渉を伴う信号を受信する。各信号サブキャリアには、送信信号に変更を加える複素ｈ係数（振幅−位相）が割り当てられる。ｒ＝ｈ．ｓで、ｒは受信信号であり、ｓは送信信号（すなわち送信コンステレーションポイント）である。このｈ係数を知らないと、移動端末は、送信に使用されるコンステレーションポイントｓを求めることができない。移動端末に既知のパイロットの送信により、移動端末は係数ｈを求めることができる（ｐｉｌｏｔ＿ｒ＝ｈ．ｐｉｌｏｔ＿ｓ。それより、ｈ＿ｅｓｔｉｍａｔｅｄ＝ｒ／ｐｉｌｏｔ＿ｓ）。したがって、移動端末は、受信信号を「修正」することができ（ｒ＿ｃｏｒｒｅｃｔｅｄ＝ｒ／ｈ＿ｅｓｔｉｍａｔｅｄ＝（ｈ／ｈ＿ｅｓｔｉｍａｔｅｄ）．ｓ〜＝ｓを実施することにより）、効率的な復調を行うことができる。
【００８４】
次いでステップ９２で、フレームのヘッダの第１の部分が、図８のステップ８１で説明したように復号される。
【００８５】
ステップ９３で、フレームヘッダの第２の部分を受信した各移動端末は、１つまたは複数の第２のパイロットを受信および復号し、１つまたは複数の第２のパイロットはそれぞれ、対象となる移動端末と通信する基地局によって送信される。移動端末は、受信された各第２のパイロットから、次いで１回または複数回の第２の物理チャネル推定を行って、ミニインターバルまたは移動端末へのインターバルの割り振りを表す情報要素の受信に常時適合する。
【００８６】
最後にステップ９４で、図８のステップ８２で説明したようにヘッダの第２の部分のすべてまたは一部が受信され、復号される。第２のパイロットが各ミニインターバルまたは情報要素に関連付けられる場合は、物理チャネルの第２の推定を行うステップ９３は、第２のパイロットを受信するたびに繰り返され、その後、第２のパイロットの後に続く、または第２のパイロットを備えるミニインターバルの受信と復号が行われる。
【００８７】
言うまでもなく、本発明は、上記の実施形態に限定されない。
【００８８】
詳細には、本発明は、４つの基地局を備えるシステムに限定されず、３つ以上の集合および３つ以上の基地局を備えるシステムにも適用される。本発明はまた、４つの移動端末を備えるシステムにも制限されず、３つ以上の移動端末を備えるシステムにも適用される。同じ部分集合の基地局の割り当ては、１つの移動端末に制限されず、複数の移動端末にも適用される。
【００８９】
有利には、本システムの基地局は、同じ周波数で同期してフレームを送信する（すなわち、ここで検討するＯＦＤＭシステムに関して無視できる周波数ずれで。通例、ＤＶＢ−Ｔ型のシステムでは１Ｈｚ未満）。有利には、第２のヘッダ部分に備わり、所与の移動端末に割り振られた情報要素またはミニインターバルは、ＯＦＤＭＡタイプの多重化の場合は異なるサブキャリアを使用することにより、かつ／または、ＣＤＭＡタイプの符号の場合は異なるスペクトル拡散符号を適用することにより、他の移動端末に割り振られた他の情報要素の送信に使用される他の物理チャネルとは異なる、同一の第２の物理チャネルで送信される。
【００９０】
有利には、第１のヘッダ部分に含まれるフレームの構造を表す情報は、基地局の集合からシステム１の移動端末に同報通信され、フレームの中に含まれるインターバルの数と、それらインターバル各々の継続時間は、基地局ＢＳ１からＢＳ４と、移動端末ＭＴ１からＭＴ４によって構成されるネットワークの集合について一定である。変形形態によると、ネットワークの通信フレームの構造は時間的に不変である。すなわち、第２のヘッダ部分のミニインターバルとフレームのペイロードのインターバルの記述は、すべてのフレームについて時間的に不変である。別の変形形態によると、フレームの構造は時間と共に変化する。その場合、有利には、フレームヘッダ中にフィールドが追加され、このフィールドは、例えば、記述されたフレーム構造が有効であるフレームの数を表す情報を備える。別の変形形態によると、フレームの構造が変更される次フレームの記述は、構造が変更されるフレームの直前に送信されるフレームのフレームヘッダで事前に送信される。
【００９１】
変形形態によると、フレームヘッダの第１の部分は、数個の部分に分割される。フレームヘッダの第１の部分の各部分は、フレームの構造を表す情報の一部を備え、例えば、第１の部分はダウンリンクのインターバルの記述を備え、第２の部分はアップリンクについての記述を備える。
【図１】
2010252320.tif 000003
【図２】
2010252320.tif 000004
【図３】
2010252320.tif 000005
【図４ａ】
2010252320.tif 000006
【図４ｂ】
2010252320.tif 000007
【図４ｃ】
2010252320.tif 000008
【図４ｄ】
2010252320.tif 000009
【図５ａ】
2010252320.tif 000010
【図５ｂ】
2010252320.tif 000011
【図５ｃ】
2010252320.tif 000012
【図５ｄ】
2010252320.tif 000013
【図６】
2010252320.tif 000014
【図７】
2010252320.tif 000015
【図８】
2010252320.tif 000016
【図９】
2010252320.tif 000017
【外国語明細書】
2010252320000001.pdf